(57)【要約】【課題】水槽の下方の排水トラップの収納空間を有効に確保することができる排水トラップを提供する。【解決手段】本発明の排水トラップ１は、洗面器４の下方に位置する排水口４ａに接続され、この排水口から流出する排水を導く排水管８と、この排水管からの排水の流路を形成すると共に、排水管の出口部８ａを閉塞可能な封水を収容する封水室１０と、洗面器の排水口よりも上方に開口するオーバーフロー口４ｂから流出する排水を導くオーバーフロー管１２と、封水室から溢れた排水を下水側に導くように封水室に接続される流出管１４と、を有し、オーバーフロー管の出口部１２ａは、封水室の封水内に位置していることを特徴としている。【選択図】図４
2011032796.tif 000002
【特許請求の範囲】
【請求項１】
水槽から排水された水を下水側へ流出させるように上記水槽の下方に設けられた排水トラップであって、
水槽の下方に位置する排水口に接続され、この排水口から流出する排水を導く排水管と、
上記排水管に接続され、この排水管からの排水の流路を形成すると共に、上記排水管の出口部を閉塞可能な封水を収容する封水室と、
上記水槽の上方に開口するオーバーフロー口から流出する排水を導くオーバーフロー管と、
上記封水室から溢れた排水を下水側に導くように上記封水室に接続される流出管と、を有し、
上記オーバーフロー管の出口部は、上記封水室の封水内に位置していることを特徴とする排水トラップ。
【請求項２】
上記オーバーフロー管の出口部は、上記排水管の出口部の近傍に位置している請求項１記載の排水トラップ。
【請求項３】
上記オーバーフロー管は、上記封水室の上端部に接続された後、その出口部が上記封水室の封水内まで延びている請求項１又は２に記載の排水トラップ。
【発明の詳細な説明】
【技術分野】
【０００１】
本発明は、排水トラップに係わり、特に、洗面台、流しや浴槽等の水槽から排水された水を下水側へ流出させるように水槽の下方に設けられた排水トラップに関する。
【背景技術】
【０００２】
従来、例えば、水槽として用いられる洗面台の洗面器の下方には、キャビネット等、収納部としての収納スペースが設けられ、この収納スペースの一部には、洗面器から排水された水を下水側へ流出させる排水トラップが設けられている。このような従来の排水トラップは、Ｓ字型の配管路を備え、キャビネットの収納スペースのほぼ中央付近に配置されるものが一般的であり、洗面器下の収納スペースに収納物を収納する際にはしばしば障害となり、有効な収納スペースを狭めてしまうという問題があった。
そこで、特許文献１に記載されている従来の排水トラップにおいては、Ｓ字型の排水トラップの代わりに箱型の排水トラップを採用し、洗面台の洗面器下の有効な収納スペースを確保したものが知られている。
【０００３】
一方、従来の一般的な洗面台においては、しばしば洗面器内に水を溜めた状態で利用することがあるが、この洗面器に溜めた水が所定水位に達した後に洗面器から溢れ出ないように、洗面器の内面の一部にオーバーフロー口が設けられ、この洗面器のオーバーフロー口にはオーバーフロー管が接続されている。そして、洗面器に溜めた水が所定水位に達した後に洗面器から溢れ出た排水は、このオーバーフロー管によって排水トラップ側へ排水されるようになっている。
しかしながら、上述した特許文献１に記載されている従来の排水トラップにおいては、オーバーフロー管を設けることを考慮していないため、仮にオーバーフロー管を設けた場合には、洗面台の洗面器下の有効な収納スペースを確保することが難しいという問題がある。
【０００４】
また、特許文献２に記載されている従来の排水トラップにおいては、洗面器のオーバーフロー口にオーバーフロー管が接続されているものが知られている。このオーバーフロー管においては、下水配管からの臭気の逆戻りを防ぐために、下水配管に直接接続して連通させることができず、封水によって臭気を遮断しなければならないが、オーバーフロー管自体では封水を形成することができないため、オーバーフロー管の出口部は、洗面器の排水口と封水可能な排水トラップとの間に接続されている排水配管の途中に接続され、洗面器のオーバーフロー口から溢れ出た水は、オーバーフロー管内を流れ、排水配管内に排水されるようになっている。
【先行技術文献】
【特許文献】
【０００５】
【特許文献１】特開平７−７１０６１号公報
【特許文献２】特開平１１−２１９６９号公報
【発明の概要】
【発明が解決しようとする課題】
【０００６】
しかしながら、上述した特許文献２に記載された従来の排水トラップにおいては、洗面器の排水口と排水トラップとの間に接続されている排水配管の途中にオーバーフロー管が接続されているため、このオーバーフロー管と排水配管との接続部が収納スペース内のほぼ中央側に配置されることになる。また、洗面器の排水口に排水配管を接続する際に、この接続部にオーバーフロー管が干渉しないように排水配管を下方側に延びるように設置した状態でオーバーフロー管を排水配管に接続する必要があり、排水トラップ自体がオーバーフロー管と排水配管との接続部よりも下方に配置され、洗面器の収納スペース内の下方スペースに位置してしまうため、特に下方の有効な収納スペースを狭めてしまうという問題がある。
【０００７】
そこで、本発明は、上述した従来技術の問題を解決するためになされたものであり、水槽の下方の排水トラップの収納空間を有効に確保することができる排水トラップを提供することを目的としている。
【課題を解決するための手段】
【０００８】
上記の目的を達成するために、本発明は、水槽から排水された水を下水側へ流出させるように上記水槽の下方に設けられた排水トラップであって、水槽の下方に位置する排水口に接続され、この排水口から流出する排水を導く排水管と、上記排水管に接続され、この排水管からの排水の流路を形成すると共に、上記排水管の出口部を閉塞可能な封水を収容する封水室と、上記水槽の上方に開口するオーバーフロー口から流出する排水を導くオーバーフロー管と、上記封水室から溢れた排水を下水側に導くように上記封水室に接続される流出管と、を有し、上記オーバーフロー管の出口部は、上記封水室の封水内に位置していることを特徴としている。
このように構成された本発明においては、オーバーフロー管の出口部が封水室の封水内に位置しているため、例えば、水槽として用いられる洗面台の洗面器下方に形成される収納部内の収納スペース全体に対する排水トラップ自体の占有スペースを小さくすることができ、オーバーフロー管を備えていない場合の洗面器下方の収納部の有効スペースとほぼ等しい収納スペースを確保することができる。特に、排水トラップの下方のスペースを収納部の有効な収納スペースとして確保することができる。また、オーバーフロー管の出口部が封水室の封水内に位置すれば、オーバーフロー管の接続位置を任意に設定することができるため、例えば、オーバーフロー管と封水室との接続に関する設計の自由度を広げることができる。
【０００９】
本発明において、好ましくは、上記オーバーフロー管の出口部は、上記排水管の出口部の近傍に位置している。
このように構成された本発明においては、水槽の排水口から流出した排水は、排水管を流れ、排水管の出口部から封水室に流入する。この封水室に流入した排水管の出口部近傍の排水は、封水室の内壁に衝突して封水室内で所定方向（例えば、上方）への流れを形成するため、その排水管の出口部近傍の水域における圧力（水圧）は、他の水域よりも高まった状態となる。この際、オーバーフロー管の出口部が排水管の出口部の近傍に位置しているため、排水管の出口部近傍に位置しているオーバーフロー管の出口部の近傍の水域においても、水圧が他の水域よりも高まった状態となり、封水室内の排水の流れによって、オーバーフロー管から封水室内に空気を引き込む力が発生しにくくなる。すなわち、一般的な排水トラップの排水時の封水室内においては、サイホン作用によって負圧が形成されているため、このような負圧がオーバーフロー管から封水室内に空気を引き込みやすい要因となっているが、本発明においては、排水時にオーバーフロー管の出口部の近傍の水域における水圧を高めることができるため、排水時の封水室内で発生する負圧を部分的に低減させることができる。したがって、排水トラップ内の排水の円滑な流れを損なうことなく、このような負圧によってオーバーフロー管から封水室内に空気が引き込まれることにより発生する異音を低減させることができる。
【００１０】
本発明において、好ましくは、上記オーバーフロー管は、上記封水室の上端部に接続された後、その出口部が上記封水室の封水内まで延びている。
このように構成された本発明においては、オーバーフロー管が封水室の上端部に接続された後、その出口部が封水室の封水内まで延びており、オーバーフロー管が封水室から下方に、或いは、水平方向に突出することがないため、特に、排水トラップの下方、或いは、水平方向の周辺スペースを洗面台収納部の有効な収納スペースとして確保することができ、より効果的に利用することができる。
【発明の効果】
【００１１】
本発明の排水トラップによれば、水槽の下方の排水トラップの収納空間を有効に確保することができる。
【図面の簡単な説明】
【００１２】
【図１】本発明の一実施形態による排水トラップが内部に組み込まれた洗面台を示す概略斜視図である。
【図２】本発明の一実施形態による排水トラップが内部に組み込まれた洗面台の側面を一部破断した概略側面図である。
【図３】図２のIII-III線に沿った断面図である。
【図４】本発明の一実施形態による排水トラップの部分拡大側面断面図である。
【図５】図４のＶ−Ｖ線に沿った断面図である。
【発明を実施するための形態】
【００１３】
以下、添付図面を参照して本発明の一実施形態による排水トラップについて説明する。
まず、図１は本発明の一実施形態による排水トラップが内部に組み込まれた洗面台を示す概略斜視図である。つぎに、図２は本発明の一実施形態による排水トラップが内部に組み込まれた洗面台の側面を一部破断した概略側面図である。また、図３は、図２のIII−III線に沿った断面図である。さらに、図４は本発明の一実施形態による排水トラップの部分拡大側面断面図である。また、図５は、図４のＶ−Ｖ線に沿った断面図である。また、図４及び図５においては、排水の流れを矢印で示している。
【００１４】
図１〜図５に示すように、本実施形態の排水トラップ１は、水槽として用いられる洗面台２の洗面器４の下方に位置する収納部６内に配置され、この洗面器４から排水された水を下水側へ流出させるものである。
この排水トラップ１は、排水管８、封水室１０、オーバーフロー管１２、及び、流出管１４を備えている。
【００１５】
まず、排水管８は、その入口部である上端部が洗面台２の洗面器４の排水口４ａに接続され、そこから下方に延びて封水室１０の上端部１０ａに接続された後、その出口部８ａが封水室１０の封水面Ｗよりも下方の封水内まで延びており、洗面器４の排水口４ａから流出した排水が排水管８により封水室１０内に導かれるようになっている。すなわち、排水管８は、封水室１０の底部よりも下方に突出することがないように封水室１０に接続されている。
また、排水管８は、封水室１０内の封水によって、排水トラップ１の下流側にある下水配管１６からの臭気を遮断することにより、洗面器４に臭気が立ち上るのを防ぐため、「防臭管」或いは「防臭筒」とも呼ばれている。
【００１６】
つぎに、封水室１０は、図２、図４、及び、図５に示すように、その平面断面が洗面台２の前後方向に細長いほぼ長楕円形状となる箱体の内部に形成され、排水管８の出口部８ａを閉塞可能な封水を収容すると共に、排水管８の出口部８ａからその下流側に位置する流出管１４の上端部である入口部１４ａまで排水の流路を形成している。
【００１７】
つぎに、オーバーフロー管１２は、その入口部が洗面器４のオーバーフロー口４ｂに接続されている。この洗面器４のオーバーフロー口４ｂは、洗面器４の側面に形成され、洗面器４の排水口４ａよりも上方に位置し、洗面器４の上限水位を制限している。
また、オーバーフロー管１２は、その下流側の途中部分が封水室１０の上端部１０ａに接続された後、その出口部１２ａが封水室１０の封水面Ｗよりも下方の封水内まで延びており、洗面器４のオーバーフロー口４ｂから流出した排水がオーバーフロー管１２により封水室１０内に導かれるようになっている。すなわち、オーバーフロー管１２は、封水室１０の底部よりも下方に突出することがないように封水室１０に接続されている。
【００１８】
さらに、排水管８と封水室１０の上端部１０ａとの接続部から排水管８の出口部８ａにかけての流路８ｂ、及び、オーバーフロー管１２と封水室１０の上端部１０ａとの接続部からオーバーフロー管１２の出口部１２ａにかけての流路１２ｂは、互いに連結流路１８によって連結されており、オーバーフロー管１２の出口部１２ａが封水室１０の封水内で排水管８の出口部８ａの後側近傍に位置するようになっている。
【００１９】
なお、本実施形態では、一例として、排水管８と封水室１０の上端部１０ａとの接続部から排水管８の出口部８ａにかけての流路８ｂ、及び、オーバーフロー管１２と封水室１０の上端部１０ａとの接続部からオーバーフロー管１２の出口部１２ａにかけての流路１２ｂについて、互いに連結流路１８によって連結した形態について説明するが、少なくとも両出口部８ａ，１２ａ同士が封水室１０の封水内において互いに近傍に位置していれば、両流路８ｂ，１２ｂが連結流路１８によって連結されずに、互いに独立に配置されていてもよい。
【００２０】
また、本実施形態では、オーバーフロー管１２が封水室１０の上端部１０ａに接続された後、その出口部１２ａが封水室１０の封水面Ｗよりも下方の封水内まで延びているような形態について説明するが、このような形態に限定されず、例えば、封水室１０の流出管１４と干渉しないような外周面にオーバーフロー管１２を接続した後、その出口部１２ａが封水室１０の外周面から封水内の排水管８の出口部８ａの近傍に位置するように差し向けてもよい。要するに、オーバーフロー管１２と封水室１０との接続について、封水室１０の下方スペースが確保されると共に、封水室１０の後端側に配置される流出管１４にオーバーフロー管１２が干渉しないように封水室１０に接続され、オーバーフロー管１２の出口部１２ａが封水内の排水管８の出口部８ａの近傍に位置していればよい。
【００２１】
つぎに、流出管１４は、その上端部である入口部１４ａが封水室１０内に接続され、その下端部１４ｂが封水室１０の下端よりも所定長さ下方に位置している。
また、流出管１４の下端部１４ｂは、下水配管１６に接続されている連結管２０に連結されており、封水室１０から溢れた排水は、流出管１４から連結管２０を経て下水配管１６に導かれるようになっている。
【００２２】
さらに、流出管１４は、封水室１０の後端側（図４及び図５に示す封水室１０の右側端部に相当する部分）に上下方向に延びるように配置され、その上端部である入口部１４ａの高さ位置から封水室１０の下端位置とほぼ等しい高さ位置にかけての流路１４ｃの断面が封水室１０内のオーバーフロー管１２の外周の一部を取り囲むようにほぼ三日月形状となっている。
【００２３】
また、流出管１４は、その流路１４ｃの三日月形状の断面積が、排水管８の流路８ｂの断面積よりも小さく、流出管１４における封水室１０の下端位置とほぼ等しい高さ位置から下端部１４ｂの高さ位置にかけての流路１４ｄの断面積よりも小さく設定されている。すなわち、流出管１４は、その流路の少なくとも一部が絞られるように形成された流路１４ｃ（流路絞り部）を備えている。
【００２４】
つぎに、特に図４及び図５を参照しながら、上述した本発明の一実施形態による排水トラップの作用について説明する。
洗面器４の排水口４ａから流出した排水は、排水管８を流れ、排水管８の出口部８ａから封水室１０に流入する。この封水室１０に流入した排水管８の出口部８ａの近傍の排水は、封水室１０の内壁に衝突して封水室１０内において排水管８の出口部８ａ、連結流路１８、及び、オーバーフロー管１２の出口部１２ａの外側を回り込みながら、流出管１４の上端部である入口部１４ａに向かう所定方向（例えば、上方）への流れを形成する。流出管１４に流入した排水は、連結管２０を経て下水配管１６に排水される。
この際、排水管８の出口部８ａの近傍の水域における圧力（水圧）は、他の水域よりも高まった状態となる。
【００２５】
同様に、排水管８の出口部８ａの近傍に位置しているオーバーフロー管１２の出口部１２ａや両出口部８ａ，１２ａを連結する連結流路１８の開口部近傍の水域においても、水圧が他の水域よりも高まった状態となり、封水室１０内の排水の流れによって、オーバーフロー管１２から封水室１０内に空気を引き込む力が発生しにくくなる。
すなわち、一般的な排水トラップの排水時の封水室内においては、サイホン作用によって負圧が形成されているため、このような負圧がオーバーフロー管から封水室内に空気を引き込みやすい要因となっているが、本実施形態においては、排水トラップ１の排水時にオーバーフロー管１２の出口部１２ａの近傍の水域における水圧が高まり、この高められた水圧により、排水時に封水室１０内で発生する負圧が、排水管８の出口部８ａ、オーバーフロー管１２の出口部１２ａ、及び、両出口部８ａ，１２ａを連結する連結流路１８の開口部の近傍において部分的に低減する。これにより、排水トラップ１の排水の円滑な流れが損なわれず、さらに、このような負圧によってオーバーフロー管１２から封水室１０内に空気が引き込まれることにより発生する異音が低減する。
【００２６】
上述した本発明の一実施形態による排水トラップ１によれば、オーバーフロー管１２の出口部１２ａが封水室１０の封水内に位置しているため、洗面台２の洗面器４下方に形成される収納部６内の収納スペース全体に対する排水トラップ１自体の占有スペースを小さくすることができ、オーバーフロー管１２を備えていない場合の洗面台２の収納部６の有効スペースとほぼ等しい収納スペースを確保することができる。特に、排水トラップ１の封水室１０の下方スペースを洗面台２の収納部６の有効な収納スペースとして確保することができる。
また、封水室１０の後端側に配置される流出管１４にオーバーフロー管１２が干渉しないように封水室１０に接続され、オーバーフロー管１２の出口部１２ａが封水内の排水管８の出口部８ａの近傍に位置するようにすれば、オーバーフロー管１２を流出管１４の上流側に接続する位置を任意に設定することができるため、オーバーフロー管１２と封水室１０との接続に関する設計の自由度を広げることができる。
【００２７】
また、本実施形態の排水トラップ１によれば、排水トラップ１の排水時にオーバーフロー管１２の出口部１２ａの近傍の水域における水圧が高まり、この高められた水圧により、排水時に封水室１０内で発生する負圧が、排水管８の出口部８ａ、オーバーフロー管１２の出口部１２ａ、及び、両出口部８ａ，１２ａを連結する連結流路１８の開口部の近傍において部分的に低減するため、排水トラップ１内の排水の円滑な流れを損なうことなく、このような負圧によってオーバーフロー管１２から封水室１０内に空気が引き込まれることにより発生する異音を低減させることができる。
【００２８】
さらに、本実施形態の排水トラップ１によれば、オーバーフロー管１２が封水室１０の上端部１０ａに接続された後、その出口部１２ａが封水室１０の封水内まで延びており、オーバーフロー管１２が封水室１０から下方に、或いは、水平方向に突出することがないため、排水トラップ１の封水室１０の下方、或いは、水平方向の周辺スペースを洗面台２の収納部６の有効な収納スペースとして確保することができ、より効果的に利用することができる。
【００２９】
なお、上述した本実施形態による排水トラップにおいては、水槽として用いられる洗面台に排水トラップを適用した例について説明したが、このような例に限定されず、洗面台以外の流しや浴槽等の水槽にも同様に適用することができる。
【符号の説明】
【００３０】
１    排水トラップ
２    洗面台
４    洗面器
４ａ  排水口
４ｂ  オーバーフロー口
６    収納部
８    排水管
８ａ  排水管の出口部
１０    封水室
１０ａ  封水室の上端部
１２    オーバーフロー管
１２ａ  オーバーフロー管の出口部
１２ｂ  流路
１４    流出管
１４ａ  流出管の入口部
１４ｂ  流出管の下端部
１４ｃ  流路
１４ｄ  流路
１６    下水配管
１８    連結流路
２０    連結管
Ｗ    封水面
【図１】
2011032796.tif 000003
【図２】
2011032796.tif 000004
【図３】
2011032796.tif 000005
【図４】
2011032796.tif 000006
【図５】
2011032796.tif 000007